(57)【要約】【課題】  耐力壁の強度向上を行えるだけでなく、求められる建築物の構造強度に応じた補強が可能で、建築物の重量バランスの偏りも解消できる枠組壁工法建築物の縦枠補強構造を提供すること。【解決手段】  上下枠Ｔ・Ｂと縦枠Ｖで組まれた壁枠組に構造用面材Ｐを貼り付けて耐力壁Ｗが構築される枠組壁工法建築物の縦枠補強構造において、前記壁枠組を構成する縦枠Ｖに、所定寸法の板材または角材から成る主柱材１と、この主柱材１に長手方向に沿って固定される添え板２を使用する一方、添え板２については、複数階建て建築物Ａの少なくとも一部の連続する上下階において、耐力壁Ｗの横幅方向に並ぶ主柱材１・１…の左右片側に、同一面上の壁面を構成する同階の壁枠組で左右位置が揃うように、かつ、同一面上の壁面を構成する上下階の壁枠組で左右位置が交互となるように配置した。【選択図】  図１
2017002600.tif 000002
【特許請求の範囲】
【請求項１】
上下枠(Ｔ)(Ｂ)と縦枠(Ｖ)で組まれた壁枠組に構造用面材(Ｐ)を貼り付けて耐力壁(Ｗ)を構築する枠組壁工法建築物の縦枠補強構造であって、
前記壁枠組を構成する縦枠(Ｖ)に、所定寸法の板材または角材から成る主柱材(１)と、この主柱材(１)に長手方向に沿って固定する添え板(２)が使用されている一方、
前記添え板(２)については、複数階建て建築物(Ａ)の少なくとも一部の連続する上下階において、耐力壁(Ｗ)の横幅方向に並ぶ主柱材(１)(１)…の左右片側に、同一面上の壁面を構成する同階の壁枠組で左右位置が揃うように、かつ、同一面上の壁面を構成する上下階の壁枠組で左右位置が交互となるように配置されていることを特徴とする枠組壁工法建築物の縦枠補強構造。
【請求項２】
三階建て以上の建築物(Ａ)において、少なくとも一階部分に主柱材(１)の左右両側に添え板(２)(２)が固定された縦枠(Ｖ3)が使用されていることを特徴とする請求項１記載の枠組壁工法建築物の縦枠補強構造。
【請求項３】
三階建て以上の建築物(Ａ)において、少なくとも最上階に主柱材(１)のみから成る縦枠(Ｖ1)が使用されていることを特徴とする請求項１または２に記載の枠組壁工法建築物の縦枠補強構造。
【請求項４】
四階建て建築物(Ａ)において、一階部分に主柱材(１)の左右両側に添え板(２)(２)が固定された縦枠(Ｖ3)が使用されると共に、二階および三階部分に、主柱材(１)(１)…の左右片側に添え板(２)が固定された縦枠(Ｖ2)が使用され、更に最上階に主柱材(１)のみから成る縦枠(Ｖ1)が使用されていることを特徴とする請求項１〜３の何れか一つに記載の枠組壁工法建築物の縦枠補強構造。
【請求項５】
複数階建て建築物(Ａ)において、主柱材(１)が鉛直方向に並ぶように各階の縦枠(Ｖ)が配置されていることを特徴とする請求項１〜４の何れか一つに記載の枠組壁工法建築物の縦枠補強構造。
【発明の詳細な説明】
【技術分野】
【０００１】
本発明は、枠組壁工法建築物の改良、詳しくは、耐荷重性に優れた耐力壁を構築することができ、また求められる建築物の構造強度に応じた設計も容易に行え、更に建築物の重量バランスにも優れ、しかも、同寸法の断熱材や構造用面材を使用できる枠組壁工法建築物の縦枠補強構造に関するものである。
【背景技術】
【０００２】
周知のとおり、木造軸組工法による建築物が、柱や梁等の軸組で建物を支える構造であるのに対し、木造枠組壁工法による建築物は、上下枠と縦枠で組んだ壁枠組に構造用面材を張り付けた耐力壁によって建物を支える構造となっている。そのため、枠組壁工法建築物では、耐力壁の構成が建物全体の構造強度に大きな影響を及ぼす。
【０００３】
そして、従来においては、上記耐力壁の強度を向上させるために、水平に設置された土台や梁(上下枠)の間に柱材(縦枠)を所定間隔で並べて設置すると共に、隣り合う柱材間に空いたスペースに、板材で構成された桟付きの矩形枠材を嵌め込んで耐力壁の壁枠組を構築する技術も公知となっている(例えば、特許文献１参照)。
【０００４】
しかしながら、上記従来技術に関しては、桟付きの矩形枠によって耐力壁の強度は増すものの、矩形枠によって材料コストが嵩むだけでなく、施工効率の悪化も招いた。また三階建て以上の建築物では、上階の耐力壁に矩形枠を使用することで建物重量が大きくなって、一階部分にかかる荷重が過大になる問題も生じた。
【０００５】
そこで、従来においては、上記耐力壁の壁枠組を構成する縦枠に、複数の板材を重ね合わせたものを使用して強度を向上させる技術も公知となっているが(特許文献２参照)、この技術に関しては、連結金具を使用して同寸法の板材を重ね合わせているため、求められる強度に応じて板材の寸法を自由に変えることが難しかった。
【０００６】
また、上記複数の板材から縦枠を構成する技術において、主となる柱材に所定厚みの添え板を当てて縦枠を構成する場合、添え板が主となる柱材の左右同じ側の側面にのみ固定されていると、複数階建て建物の重量バランスが悪くなってしまう。そのため、特に三階建て以上の建築物において耐震強度等の面で問題が生じ易い。
【０００７】
しかも、上記建物の重量バランスを考慮して、同階の壁枠組の縦枠を設置する際に隣り合う縦枠の添え板の位置を左右交互にすると、縦枠間のスペースの大きさが一定にならず大小スペースが形成されてしまうため、壁枠組に張り付ける構造用面材や縦枠間に挿入する断熱材を各スペースに合わせて寸法調整しなければならない。
【先行技術文献】
【特許文献】
【０００８】
【特許文献１】特開平１１−２９３８４４号公報
【特許文献２】実用新案登録第３１２５０５６号公報
【発明の概要】
【発明が解決しようとする課題】
【０００９】
本発明は、従来技術に上記問題があったことに鑑みて為されたものであり、その目的とするところは、耐力壁の強度向上を行えるだけでなく、求められる建築物の構造強度に応じた補強が可能で、建築物の重量バランスの偏りも解消でき、しかも、断熱材や構造用面材の寸法調整も不要な枠組壁工法建築物の縦枠補強構造を提供することにある。
【課題を解決するための手段】
【００１０】
本発明者が上記技術的課題を解決するために採用した手段を、添付図面を参照して説明すれば、次のとおりである。
【００１１】
即ち、本発明は、上下枠Ｔ・Ｂと縦枠Ｖで組まれた壁枠組に構造用面材Ｐを貼り付けて耐力壁Ｗが構築される枠組壁工法建築物の縦枠補強構造において、
前記壁枠組を構成する縦枠Ｖに、所定寸法の板材または角材から成る主柱材１と、この主柱材１に長手方向に沿って固定される添え板２を使用する一方、
前記添え板２については、複数階建て建築物Ａの少なくとも一部の連続する上下階において、耐力壁Ｗの横幅方向に並ぶ主柱材１・１…の左右片側に、同一面上の壁面を構成する同階の壁枠組で左右位置が揃うように、かつ、同一面上の壁面を構成する上下階の壁枠組で左右位置が交互となるように配置した点に特徴がある。
【００１２】
また本発明では、三階建て以上の建築物Ａにおいて、少なくとも一階部分に主柱材１の左右両側に添え板２・２が固定された縦枠Ｖ3を使用することにより、建築物の構造強度を高めることもできる。
【００１３】
一方、上記三階建て以上の建築物Ａにおいて、少なくとも最上階に主柱材１のみから成る縦枠Ｖ1を使用すれば、上階の建物重量を軽減することができる。
【００１４】
なお本発明では、建築物Ａを四階建てとして、一階部分に主柱材１の左右両側に添え板２・２が固定された縦枠Ｖ3を使用すると共に、二階および三階部分に、主柱材１・１…の左右片側に添え板２が固定された縦枠Ｖ2を使用し、更に最上階に主柱材１のみから成る縦枠Ｖ1を使用するのが好ましい。
【００１５】
また更に、本発明においては、複数階建て建築物Ａの構造強度を高めるために、主柱材１が鉛直方向に並ぶように各階の縦枠Ｖ・Ｖ…を配置するのが好ましい。
【発明の効果】
【００１６】
本発明では、複数階建て建物の連続する上下階において、主柱材の片側に添え板を固定して縦枠を構成すると共に、同階の壁枠組で添え板の左右位置を揃え、上下階の壁枠組で左右位置が交互となるように縦枠を設置したことにより、壁枠組の縦枠を添え板によって補強することができるため、耐荷重性に優れた耐力壁を構築できる。
【００１７】
しかも、本発明では、連続する上下階の壁枠組で添え板の左右位置が交互となるようにしたことにより、添え板による重量の偏りを解消して建物全体の重量バランスを整えることができるため、建物の耐震性を向上させることができる。そして、これは特に三階建て以上の建物において大きな効果が得られる。
【００１８】
また更に、本発明では、上記縦枠を補強する添え板の厚みを調整することによって、求められる構造強度に応じた設計を行えるため、設計自由度も高い。加えて、本発明では、同階の壁枠組で添え板の左右位置を揃えることにより、縦枠間のスペースを一定の大きさとすることができるため、構造用面材や断熱材の寸法調整も不要となる。
【００１９】
以上のように、本発明によって、積雪等の大きな負荷にも耐え得る頑丈で、かつ、耐震面においても安定感のある建築物を構築できるだけでなく、設計作業や施工作業の効率化及び材料コストの低減も図れる木造枠組壁工法を提供できることから、本発明の実用的価値は頗る高い。
【図面の簡単な説明】
【００２０】
【図１】本発明の実施例１における壁枠組工法建築物の縦枠補強構造を表わす全体概略図である。
【発明を実施するための形態】
【００２１】
『実施例１』
本発明の実施例１を、図１から図４に基いて以下に説明する。ちなみに同図において、符号Ｔで指示するものは、耐力壁の上枠であり、符号Ｂで指示するものは、耐力壁の下枠である。また符号Ｖで指示するものは、耐力壁の縦枠である。また符号１で指示するものは、縦枠の主柱材であり、符号２で指示するものは、縦枠の添え板である。
【００２２】
[枠組壁工法建築物の全体構成]
まず本実施例では、図１に示すように、一階部分から四階部分までの各階に耐力壁Ｗを形成して四階建て枠組壁工法建築物Ａを構築している。また本実施例では、建築物Ａの屋根Ｒに、折板屋根から成る無落雪式の屋根構造を採用して、建築物Ａ全体を降雪時の最大重量に耐え得る構造強度で設計している。
【００２３】
なお、上記建築物Ａに関しては、複数階建ての建築物であれば四階建てである必要はなく、二階建てや三階建て、五階建ての建築物とすることもできる。また建築物Ａの屋根Ｒに関しても、フラットな無落雪式の屋根構造である必要はなく、屋根勾配の付いた落雪式の屋根構造を採用することもできる。
【００２４】
[耐力壁の構成]
また、上記建築物Ａの各階に形成された耐力壁Ｗに関しては、水平に配置された上枠Ｔと下枠Ｂ、及びこれらの上下枠Ｔ・Ｂ間に耐力壁Ｗの横幅方向に所定間隔で立てられた複数の縦枠Ｖ・Ｖ…、及びこれらの上下枠Ｔ・Ｂと縦枠Ｖを組んで成る壁枠組に張り付けられた構造用面材Ｐとから構成している。
【００２５】
[耐力壁の縦枠]
また本実施例では、上記耐力壁Ｗを構成する壁枠組の縦枠Ｖに、３種類の枠材([1]主柱材１のみから成る縦枠Ｖ1、[2]主柱材１の一側面に添え板２を長手方向に沿って固定した縦枠Ｖ2、[3]主柱材１の対向する両側面に添え板２・２を長手方向に沿って固定した縦枠Ｖ3)を使用して、各階で使い分けている。
【００２６】
なお本実施例では、上記縦枠Ｖの主柱材１に、寸法45mm(板厚)×90mm(板幅)の板材を使用し、添え板２に、寸法30mm(板厚)×90mm(板幅)の板材を使用しているが、主柱材１には厚みの大きい角材を使用することもできる。また添え板２は、求められる強度に応じた寸法の板材を使用することができる。
【００２７】
また、上記主柱材１と添え板２から構成される縦枠Ｖ2・Ｖ3については、本実施例では主柱材１と添え板２をビスで連結して一体化しているが、固定手段についてはビスや釘、連結ボルト等の手段に限定されず、例えばコ字型の連結金具で両者を一体化したり、接着剤で一体化したりする方法等を採用することもできる。
【００２８】
[一側面に添え板を有する縦枠]
本実施例では、上記建築物Ａの二階部分と三階部分の耐力壁Ｗに、主柱材１の添え板２が一側面に固定された縦枠Ｖ2を使用すると共に、この縦枠Ｖ2を、耐力壁Ｗの横幅方向に並ぶ主柱材１・１…の左右片側に添え板２・２…がくるように設置している。なお添え板２の固定は、設置前に行っても設置後に行ってもよい。
【００２９】
また、上記二階部分と三階部分においては、添え板２の左右位置が、同一面上の壁面を構成する同階の壁枠組で同じ側に揃うように、かつ、同一面上の壁面を構成する上下階の壁枠組で左右交互となるように縦枠Ｖ2・Ｖ2…を設置している。具体的には、図１の二階部分では主柱材１の左側に添え板２を配置し、三階部分では主柱材１の右側に添え板２を配置している。
【００３０】
そして、上記構成により、耐力壁Ｗの壁枠組を構成する縦枠Ｖを添え板２によって補強でき、更に添え板２・２…の配置の偏りを解消して建築物Ａの重量バランスを整えることができる。また、添え板２の寸法によって、求められる構造強度に応じた設計を行うことができる。加えて、同階における縦枠Ｖ2・Ｖ2の間隔が一定になるため、同寸法の構造用面材Ｐや断熱材を使用できる。
【００３１】
なお本実施例では、上記主柱材１の一側面に添え板２を有する縦枠Ｖ2を、二階部分と三階部分に使用して建築物Ａを設計しているが、複数階建て建築物の少なくとも一部の連続する上下階(例えば、二階建てや三階建て建築物の全ての階や三階建て建築物の一階から二階までの階等)に使用すれば、上記と同様の効果を得ることができる。
【００３２】
[対面に添え板を有する縦枠]
一方、上記建築物Ａの一階部分には、主柱材１の左右両側に添え板２・２が固定された縦枠Ｖ3を使用している。これにより、建築物Ａにおいて一番荷重のかかる一階部分の縦枠の強度を更に向上させることができるため、建築物Ａの構造強度を降雪時の最大重量に耐え得る強度まで高めることができる。
【００３３】
また本実施例では、四階部分における受け梁直下の位置にも上記縦枠Ｖ3を使用して部分的な補強を行っている。なお、当該縦枠Ｖ3については、枠材の重量が大きいため、本実施例のように三階建て以上の建築物の一階部分に使用するのが好ましいが、必要に応じて上階(二階部分等)に使用することもできる。
【００３４】
[主柱材のみから成る縦枠]
他方、上記建築物Ａの四階部分には、主柱材１のみから成る縦枠Ｖ1を使用している。これにより、上階の建物重量を軽減することができるため、下階に求められる構造強度を抑えることができる。なお、本実施例の構成を採用しなくても、三階建て以上の建築物Ａにおいて、少なくとも最上階に主柱材１のみから成る縦枠Ｖを使用すれば、上記効果が得られる。
【００３５】
[上下階における縦枠の配置]
また本実施例では、上記建築物Ａの各階の縦枠Ｖ・Ｖ…を、同一面の壁面を構成する上下階の壁枠組において、主柱材１が鉛直方向に並ぶように配置している。これにより、建築物Ａの構造強度を高めることができるだけでなく、上記添え板２の左右位置を交互にすることによる重量バランスの効果が大きくなる。
【００３６】
[耐力壁の構造用面材]
また、上記耐力壁Ｗを構成する構造用面材Ｐに関しては、本実施例では構造用合板を使用しているが、枠組壁工法で一般に使用される構造用パネルや構造用せっこうボード等を使用することもできる。また構造用面材Ｐのサイズも、複数の縦枠Ｖ・Ｖ…を跨ぐ大型のものから、複数に分割された小型のものまで自由に選択できる。
【００３７】
本発明は、概ね上記のように構成されるが、本発明は図示の実施形態に限定されるものでは決してなく、「特許請求の範囲」の記載内において種々の変更が可能であって、例えば、添え板２・２の左右位置については、同一面上の壁面を構成する壁枠組において同じ側に揃っていれば、別の壁面を構成する同階の壁枠組で必要に応じて左右位置を変えることもできる。
【００３８】
また、主柱材１の添え板２が一側面に固定された縦枠Ｖ2を使用する階(実施例１の二階部分や三階部分)に関しても、窓枠等の設置などにより部分的な補強が必要となった場合には、主柱材１の左右両側に添え板２・２が固定された縦枠Ｖ3を部分的に使用することができ、上記何れのものも本発明の技術的範囲に属する。
【産業上の利用可能性】
【００３９】
近年、建築分野においては、従来よりも施工コストを抑制でき、かつ、施工効率も向上できる新しい木造壁枠組工法が求められている。そのような中で、本発明のは、枠組壁工法建築物の耐力壁を効率的に構築できるだけでなく、構造強度および重量バランスを改善できる有用な技術であるため、その産業上の利用価値は非常に高い。
【符号の説明】
【００４０】
１  主柱材
２  添え板材
Ｖ  縦枠
Ｔ  上枠
Ｂ  下枠
Ｐ  構造用面材
Ｗ  耐力壁
Ａ  建築物
Ｒ  屋根
【図１】
2017002600.tif 000003